(57)【要約】【課題】  複数の編出し板を備えても、昇降ガイドは昇降機構のみに設ければよい、横編機の編出し装置を提供する。【解決手段】  ホルダー６は、複数の編出し板３，４，５を前後方向に間隔をあけて収容して前後方向に移動可能である。昇降機構７は、昇降ガイド１０が設けられ、連結された編出し板４を昇降ガイド１０による案内で昇降移動させる昇降子１１を有する。選択機構８は、ホルダー６を前後に移動させて、１つの編出し板４を選択して、基板４ａが昇降機構７の昇降子１１に連結可能な位置に合わせる。連結機構９は、昇降機構７の昇降子１１が下降している状態で、選択された編出し板４の基板４ａと昇降子１１との連結および連結の解除を切替え可能であるので、昇降ガイド１０は昇降機構７にのみ設ければよい。【選択図】図１
2017089061.tif 000002
【特許請求の範囲】
【請求項１】
少なくとも一対の針床が前後に対向するように配置される横編機で、歯口の下方に設置され、前後方向に複数が並び、編出し針が編幅方向に並設される編出し板を有し、一つの編出し板を選択して編出し針を歯口に上昇させ、編地の編出し部を捕捉させ、捕捉した編出し部を保持して下降させる横編機の編出し装置において、
複数の編出し板を前後方向に間隔をあけて収容して前後方向に移動可能なホルダーと、
昇降ガイドが設けられ、編出し板を昇降ガイドによる案内で昇降移動させる昇降子を有する昇降機構と、
ホルダーを前後に移動させて、一つの編出し板を選択して昇降機構の昇降子の位置に合わせる選択機構と、
昇降機構の昇降子がホルダーに収容される編出し板の位置まで下降している状態で、編出し板と昇降子とを連結すること、および編出し板と昇降子との連結を解除することを切替え可能な連結機構と、
を含み、
編出し板は、編幅の少なくとも一部の区間に編出し針を有していない編出し板を含む、
ことを特徴とする横編機の編出し装置。
【請求項２】
前記編出し板を二つ有し、
前記連結機構は、前記選択機構による前記ホルダーの移動によって、前記下降している状態の昇降子を該二つの編出し板間でいずれか一方の編出し板に作用させて連結と連結解除とを切替える、
ことを特徴とする請求項１記載の横編機の編出し装置。
【請求項３】
前記編出し板には、連結孔が形成され、
前記連結機構は、
前記昇降子に、前記前後方向に突出するように立設され、選択される前記編出し板の連結孔に挿通可能なピンと、
前記編出し板に設けられ、連結孔に挿通されるピンの先端に係合可能なレバーとを含み、
前記連結と連結解除とは、昇降子が前記下降している状態で、連結孔へのピンの挿通と、連結孔からのピンの離脱とで行い、
レバーは、昇降子の該下降している状態で、ピンの先端との係合を外してロックを解除し、ピンの先端に係合して、編出し板と昇降子とが連結している状態をロックする、
ことを特徴とする請求項２記載の横編機の編出し装置。
【請求項４】
前記編出し板には、前記昇降子に臨む側に開口する連結溝が形成され、
前記連結機構は、
前記ホルダーの移動に伴って前後方向に移動可能なカムと、
上下に間隔をあけて一対となる状態で使用され、前記昇降子の前方側に設ける支点で支持されて揺動する先端部が後方に延びるロック部材と、
上下に間隔をあけて一対となる状態で使用され、昇降子の後方側に設ける支点で支持されて揺動する先端部が前方に延びるロック部材とを、
前方側および後方側の先端部同士が前後の中間で重複し、重複する部分が上下に間隔をあける状態で備え、
ロック部材は、
上下の先端部が前記選択された編出し板の連結溝に前方および後方からそれぞれ挿入され、
重複する状態の一方の先端部は長孔、他方の先端部にはピンが設けられて、長孔にピンが挿通される状態で係合し、
前記選択機構によるホルダーの移動に伴って移動するカムによるピンへの駆動でロック部材が揺動し、先端部の重複部分の上下間が開くことで連結溝の上下間を内側から押圧して連結およびロックし、先端部の重複部分の上下間が閉じることによる押圧の停止での連結およびロックの解除とを切替え可能である、
ことを特徴とする請求項２記載の横編機の編出し装置。
【請求項５】
前記編幅の少なくとも一部の区間に編出し針を有していない編出し板は、該区間に、針床でニットウエアの身頃の編成に使用する編針が配置される範囲を含み、
該区間に編出し針を有しない編出し板は、該区間よりも編幅の外側で、針床で両袖を編成する編針が配置される範囲に対応する区間に編出し針を有する、
ことを特徴とする請求項１〜４のいずれか一つに記載の横編機の編出し装置。
【発明の詳細な説明】
【技術分野】
【０００１】
本発明は、横編機で編地の編成を開始する際に使用される複数の編出し板を備え、各編出し板には編地の編出し部を捕捉して保持しながら編地を引下げる編出し針が設けられる、横編機の編出し装置に関する。
【背景技術】
【０００２】
従来から、横編機の歯口下方には、編地の編成を開始する際に使用される編出し装置が備えられている。編出し装置には、昇降可能な編出し板が設けられる。編出し板は、上方に突出する編出し針を有し、歯口まで上昇した編出し針で編地の編出し部を捕捉し、編出し部を保持して下降しながら編地を引下げる。
【０００３】
編地で編幅の異なる部分を別けて編成を開始するために、複数の編出し板を選択可能にする編出し装置が知られている（たとえば特許文献１参照）。この編出し装置は、各編出し板毎に歯口下方から歯口付近まで案内する昇降ガイドをそれぞれ有し、いずれかの編出し板を揺動杆で選択して上昇させる昇降子を備えている。図示は省略されているけれども、昇降子を上昇させるためには、昇降ガイドを含む昇降機構が設けられている。
【０００４】
なお、横編機では、編成された編地をローラーで挟んで巻き下げる巻下げ装置も使用される場合もある（たとえば、特許文献２参照）。この編出し装置では、単一の編出し板に編出し針から編出し部を解放させる機構が設けられており、編出し板で編地を巻下げ可能な位置まで引下げると、編出し針から編出し部を解放して、巻下げ装置による編地の巻下げに移行する。
【先行技術文献】
【特許文献】
【０００５】
【特許文献１】特公昭４７−４９７８９号公報
【特許文献２】特公平３−７７２９８号公報
【発明の概要】
【発明が解決しようとする課題】
【０００６】
半袖のセーターなどを無縫製で編成する場合、身頃を編成する編針よりも編幅の外側の編針を使用して、両袖の編地を編成する。編出し装置が単一の編出し板のみを備える場合には、両袖も身頃とともに編出し部を形成して引下げる必要がある。両袖を編成する編針では、編出し部に続いて捨て編みの編地を多く編成してから、実際に両袖となる編地を編成する必要がある。特許文献１のように、編出し装置が複数の編出し板を備えていれば、身頃と両袖とに別の編出し板を用いて編出し部をそれぞれ保持して引下げながら編地を編成することができ、身頃の編成開始の後から両袖の編成を開始して、身頃と両袖とに同一の編出し板を用いる場合に両袖で必要となる捨て編みを減らすことができる。
【０００７】
しかしながら特許文献１の編出し装置では、複数の編出し板毎にそれぞれを案内する昇降ガイドが必要で、さらに昇降子にも昇降ガイドを含む昇降機構が必要となる。昇降子および複数の昇降ガイドを設けると、歯口付近まで設置のスペースを要し、かつ歯口に向って斜めに昇降させなければならない。
【０００８】
本発明の目的は、複数の編出し板を備えても、昇降ガイドは昇降機構のみに設ければよい、横編機の編出し装置を提供することである。
【課題を解決するための手段】
【０００９】
本発明は、少なくとも一対の針床が前後に対向するように配置される横編機で、歯口の下方に設置され、前後方向に複数が並び、編出し針が編幅方向に並設される複数の編出し板を有し、一つの編出し板を選択して編出し針を歯口に上昇させ、編地の編出し部を捕捉させ、捕捉した編出し部を保持して下降させる横編機の編出し装置において、
複数の編出し板を前後方向に間隔をあけて収容して前後方向に移動可能なホルダーと、
昇降ガイドが設けられ、編出しベッドを昇降ガイドによる案内で昇降移動させる昇降子を有する昇降機構と、
ホルダーを前後に移動させて、一つの編出し板を選択して昇降機構の昇降子の位置に合わせる選択機構と、
昇降機構の昇降子がホルダーに収容される編出し板の位置まで下降している状態で、編出し板と昇降子とを連結すること、および編出し板と昇降子との連結を解除することを切替え可能な連結機構と、
を含み、
編出し板は、編幅の少なくとも一部の区間に編出し針を有していない編出し板を含む、
ことを特徴とする横編機の編出し装置である。
【００１０】
また本発明で、前記編出し板を二つ有し、
前記連結機構は、前記選択機構による前記ホルダーの移動によって、前記下降している状態の昇降子を該二つの編出し板間でいずれか一方の編出し板に作用させて連結と連結解除とを切替える、
ことを特徴とする。
【００１１】
また本発明で、前記編出し板には、連結孔が形成され、
前記連結機構は、
前記昇降子に、前記前後方向に突出するように立設され、選択される前記編出し板の連結孔に挿通可能なピンと、
前記編出し板に設けられ、編出しの連結孔に挿通されるピンの先端に係合可能なレバーとを含み、
前記連結と連結解除とは、昇降子が前記下降している状態で、連結孔へのピンの挿通と、連結孔からのピンの離脱とで行い、
レバーは、昇降子の該下降している状態で、ピンの先端との係合を外してロックを解除し、ピンの先端に係合して、編出し板と昇降子とが連結している状態をロックする、
ことを特徴とする。
【００１２】
また本発明で、前記編出し板には、前記昇降子に臨む側に開口する連結溝が形成され、
前記連結機構は、
前記ホルダーの移動に伴って前後方向に移動可能なカムと、
上下に間隔をあけて一対となる状態で使用され、前記昇降子の前方側に設ける支点で支持されて揺動する先端部が後方に延びるロック部材と、
上下に間隔をあけて一対となる状態で使用され、昇降子の後方側に設ける支点で支持されて揺動する先端部が前方に延びるロック部材とを、
前方側および後方側の先端部同士が前後の中間で重複し、重複する部分が上下に間隔をあける状態で備え、
ロック部材は、
上下の先端部が前記選択された編出し板の連結溝に前方および後方からそれぞれ挿入され、
重複する状態の一方の先端部は長孔、他方の先端部はピンが設けられて、長孔にピンが挿通される状態で係合し、
前記選択機構によるホルダーの移動に伴って移動するカムによるピンへの駆動でロック部材が揺動し、先端部の重複部分の上下間が開くことで連結溝の上下間を内側から押圧して連結およびロックし、先端部の重複部分の上下間が閉じることによる押圧の停止での連結およびロックの解除とを切替え可能である、
ことを特徴とする。
【００１３】
また本発明は、前記編幅の少なくとも一部の区間に編出し針を有していない編出し板は、該区間に、針床でニットウエアの身頃の編成に使用する編針が配置される範囲を含み、
該区間に編出し針を有しない編出し板は、該区間よりも編幅の外側で、針床で両袖を編成する編針が配置される範囲に対応する区間に編出し針を有する、
ことを特徴とする。
【発明の効果】
【００１４】
本発明によれば、連結機構が選択された編出し板と昇降子とを連結すると、編出し板を昇降移動させることができるので、複数の編出し板を備えても、昇降ガイドは昇降機構のみに設ければよい。編幅の少なくとも一部の区間に編出し針を有しない編出し板は、該区間で編地の編成を開始してから、該区間外で編地の編出し部を保持して引下げるために昇降させる際に、すでに編成されている編地に編出し針が掛らないようにすることができる。
【００１５】
また本発明によれば、連結機構は、ホルダーに収容される編出し板の位置まで下降している状態の昇降子を二つの編出し板間でいずれか一方の編出し板に作用させて連結と連結解除とを切替える。昇降子を編幅方向に移動させる必要はなく、選択機構の簡略化を図ることができる。
【００１６】
また本発明によれば、編出し板の連結孔に昇降子のピンを挿通させて連結し、挿通したピンの先端を編出し板に設けるレバーで係合させて連結している状態をロックするので、確実に昇降子で編出し板を昇降させることができる。
【００１７】
また本発明によれば、編出し板に形成され、昇降子に臨む側に開口する連結溝に、昇降子に設けられるロック部材の先端部を挿入する。ロック部材を、選択機構によるホルダーの移動に伴って移動するカムによって駆動し、先端部と連結溝との連結およびロックと、連結およびロックの解除とを切替えることができる。編出し板には、連結溝を設けておけばよいので、編出し板側での連結およびロックに関する構成を簡略化することができる。
【００１８】
また本発明によれば、ニットウエアの身頃の編出し部を先に保持して引下げ、両袖の編出し部を後から保持して引下げても、両袖の編出し部を引下げる編出し針が先に編成されている身頃の編地に干渉することはない。半袖など、両袖が短いような場合、身頃の編成を開始した後で両袖の編成を開始することができ、編出しを同時に行う場合に必要な捨て編みが不要となる。
【図面の簡単な説明】
【００１９】
【図１】図１は、本発明の一実施形態として、横編機の編出し装置１の基本構成を簡略化して示す斜視図である。
【図２】図２は、図１の編出し装置１の実施例１となる編出し装置２１について、編出し板２３と昇降子３１との連結が解除されている状態を、選択機構２８とともに示す部分的な断面正面図である。
【図３】図３は、図１の編出し装置１の実施例１となる編出し装置２１について、編出し板２３と昇降子３１とが連結されている状態を示す部分的な断面正面図である。
【図４】図４は、図２の選択機構２８の右側面図、および連結機構２９の右側面図である。
【図５】図５は、図３の編出し装置２１の平面図である。
【図６】図６は、編幅の全体に編出し針２を有する編出し板２３と、一部の区間に編出し針２を有していない編出し板２４とを示す正面図である。
【図７】図７は、図４の選択機構２８に相当する他の選択機構６８の例を示す右側面図である。
【図８】図８は、図１の編出し装置１の実施例２となる編出し装置５１について、編出し板５３と昇降子６１とが連結されている状態を示す部分的な正面断面図である。
【図９】図９は、図８の編出し装置５１の平面断面図である。
【図１０】図１０は、図８の編出し装置５１の動作を示す簡略化した左側面断面図である。
【発明を実施するための形態】
【００２０】
以下、図１で、本発明の一実施形態例として、編出し装置１の基本構成を簡略化して示す。図１では３つの編出し板３，４，５を示しているけれども、図２以降では、二つの編出し板を備える場合について示す。図２〜図７で実施例１、図８〜図１０で実施例２をそれぞれ説明する。実施形態および実施例１，２で、対応する部分は同一の参照符を付して、重複する説明を省略する場合がある。また、説明対象の図には記載されていない部分について、他の図に記載される参照符を付して言及する場合がある。
【００２１】
編出し装置１は、図示を省略している横編機の歯口下方に設けられる。図１に示すように、編出し装置１は、編出し針２が上端で編幅方向に並設される複数の編出し板３，４，５を有し、１つ、たとえば編出し板４を選択して編出し針２を歯口に上昇させ、編地の編成開始時に形成される編出し部を捕捉し、捕捉した編出し部を保持して下降させる。各編出し板３，４，５は、編幅の両側に設ける基板３ａ，４ａ，５ａと、基板３ａ，４ａ，５ａ間で支持される作動板部３ｂ，４ｂ，５ｂとをそれぞれ含む。編出し針２は、作動板部３ｂ，４ｂ，５ｂの上端に並設される。編出し装置１は、ホルダー６と、昇降機構７と、選択機構８と、連結機構９とを含む。編出し板３，４，５は、横編機の編幅である針床の長さと同等の長さを有し、昇降機構７、選択機構８および連結機構９は、横編機の編幅の両側に設けられる。
【００２２】
ホルダー６は、複数の編出し板３，４，５の基板３ａ，４ａ，５ａを前後方向に間隔をあけて収容して前後方向に移動可能である。昇降機構７は、昇降ガイド１０が設けられ、連結された編出し板４を昇降ガイド１０による案内で昇降移動させる昇降子１１を有する。選択機構８は、ホルダー６を前後に移動させて、１つの編出し板４を選択して昇降機構７の昇降子１１に連結可能な位置に合わせる。連結機構９は、昇降機構７の昇降子１１が下降している状態で、選択された編出し板４の基板４ａと昇降子１１とを連結すること、および昇降子１１と基板４ａとの連結を解除することを切替え可能である。編出し板３は、編幅の全体に編出し針２を有する。編出し板４は、編幅の中間の区間、たとえばニットウエアの身頃を針床で編成する区間を含む区間に、編出し針２を有し、この区間に編出し板５は編出し針２を有していない。この編出し板５は、身頃を編成する区間外で袖を編成する区間に編出し針２を有している。
【００２３】
本実施形態の横編機の編出し装置１は、連結機構９が選択された編出し板３，４，５の基板３ａ，４ａ，５ａと昇降子１１とを連結すると、編出し板３，４，５を昇降移動させることができるので、複数の編出し板３，４，５を備えても、昇降ガイド１０は昇降機構７のみに設ければよい。編幅の少なくとも一部の区間に編出し針２を有する編出し板３または編出し板４をニットウエアの身頃の編成開始時に使用してから、編出し板５を袖の編成開始時に使用すれば、袖丈が短くても捨て編みが不要であり、編出し板５が歯口に上昇する際に、編成されている身頃の編地に編出し針２が掛らないようにすることができる。
【実施例１】
【００２４】
図２〜図６は、本発明の実施例１となる編出し装置２１の構成をそれぞれ右側部分について示す。左側部分は、編幅の左右中央に関して対称となる。図２および図３は、部分的な断面正面図として示し、図２では編出し板２３を昇降機構２７で最下位置まで下降させた状態、図３では編出し板２３を昇降機構２７で最下位置よりも上昇させた状態をそれぞれ示す。編出し装置２１は、編出し板２３，２４、ホルダー２６、昇降機構２７、選択機構２８、および連結機構２９を含む。編出し板２３，２４の基板２３ａ，２４ａには、連結孔２３ｃ，２４ｃが設けられる。ホルダー２６は、選択機構２８側に突出する係合部２６ｃを有する。昇降機構２７は、タイミングベルト２７ａと、クランプ２７ｂとを含む。タイミングベルト２７ａには、クランプ２７ｂを介して昇降子３１が接合されている。図示を省略している駆動装置でタイミングベルト２７ａを駆動すると、昇降子３１を昇降ガイド３０に沿って昇降移動させることができる。選択機構２８は、図３では図示を省略しているけれども、モーター２８ａ、歯車２８ｂ，２８ｃ、揺動子２８ｄおよび支点２８ｅを含む。連結機構２９は、レバー２９ａおよび支点２９ｂを含む。レバー２９ａは、凹所２９ｃ，２９ｄを有している。昇降子３１には、編出し板２３，２４の連結孔２３ｃ，２４ｃに挿通可能なピン３１ａが設けられている。
【００２５】
レバー２９ａは、基板２３ａ，２４ａに設けられる支点２９ｂを介して基板２３ａ，２４ａに取付けられ、支点２９ｂを中心に角変位可能である。レバー２９ａには、支点２９ｂから図の左方および下方に延びる腕の先端付近に、ローラー３９ａ，３９ｂがそれぞれ設けられている。凹所２９ｃ，２９ｄは、レバー２９ａで支点２９ｂから下方および上方に延びる腕の先端付近にそれぞれ形成されている。凹所２９ｄと支点２９ｂとの中間付近には、レバー２９ａを反時計回り方向に付勢するばね３９ｃの右端が掛けられている。ばね３９ｃの左端は、基板２３ａ，２４ａに設けるピンに掛けられている。編出し装置２１を構成する各部分は、ベース４０または横編機のフレームで支持される。ベース４０は横編機のフレームで支持される。選択機構２８の歯車２８ｂは、モーター２８ａの出力軸に取付けられ、モーター２８ａ、歯車２８ｃ、揺動子２８ｄおよび支点２８ｅは、ベース４０に対して直立するように取付けられるスタンド４１で支持される。選択機構２８によって、ホルダー２６は、ベース４０で支持される前後ガイド４２に沿って前後方向に移動させることができる。ホルダー２６には、平坦部２６ａおよび突出部２６ｂがそれぞれ設けられ、ローラー３９ａ，３９ｂとそれぞれ当接可能である。
【００２６】
図２のように昇降子３１および編出し板２３が最下位置、すなわちホルダー２６に収容される編出し板２３の基板２３ａの位置まで下降すると、ローラー３９ａが平坦部２６ａに当接する。ローラー３９ａの当接で、ばね３９ｃによる付勢に抗して、レバー２９は時計回り方向に角変位し、凹所２９ｃ，２９ｄは、連結孔２３ｃに挿通しているピン３１ａの先端部から離れる。図３のように昇降子３１が編出し板２３を上昇させると、ローラー３９ａが平坦部２６ａと当接しなくなる予め定める高さで、ばね３９ｃによる付勢でレバー２９ａが反時計回り方向に角変位する。この角変位で、ローラー３９ｂが突出部２６ｂを通過可能となり、凹所２９ｃ，２９ｄが連結孔２３ｃに挿通しているピン３１ａの先端に係合する。この係合で、編出し板２３の基板２３ａと昇降子３１との連結状態がロックされる。編出し板２４が選択される場合についても、基板２４ａと昇降子３１との間で、基板２３ａと昇降子３１との間と同様に連結やロック、またはそれらの解除が行われる。本実施例では、ロックとその解除とを、昇降子３１が最下位置よりも上昇した位置で行うけれども、この位置は、編地の編出し部の引下げに使用する位置よりは下方であるので、この位置にある状態も、昇降子３１が下降している状態に含める。なお、ロックは、レバー２９をばね３９ｃを付勢して行っているけれども、他の構成、たとえばソレノイドなどを直接作用させて行うこともできる。
【００２７】
図４は、（ａ）で選択機構２８の構成、（ｂ）で連結機構２９の構成を、それぞれ示す。選択機構２８では、モーター２８ａの回転で、歯車２８ｂ，２８ｃを介して、揺動子２８ｄを揺動させる。揺動子２８ｄは、下端付近に支点２８ｅが設けられ、ホロワ２８ｆを有する歯車２８ｃの回転で、支点２８ｅとホロワ２８ｆとの中間に設ける作動部２８ｇは図の左右に移動する。作動部２８ｇは、係合部２６ｃを介してホルダー２６を図の左右方向に移動させることができる。他の機構、たとえばラックとピニオンとの組合せやボールねじなどでホルダー２６を移動させることもできる。連結機構２９では、ホルダー２６の移動に伴い、昇降子３１の位置を編出し板２３，２４の基板２３ａ，２４ａのいずれかと連結するように、相対変化させることができる。連結状態では、昇降子３１から前後の両方向に突出するピン３１ａが一方、たとえば基板２３ａの連結孔２３ｃに挿通されて基板２３ａと昇降子３１とが連結される。基板２３ａには、レバー２９ａが設けられており、連結孔２３ｃに挿通したピン３１ａの先端付近の小径部分に凹所２９ｃ，２９ｄを係合させると、前述のように、連結をロックする状態となる。
【００２８】
図５は、昇降子３１と基板２３ａとの連結状態を上方から見て示す。昇降子３１に設けるピン３１ａは、基板２４ａ側では先端が連結孔２４ｃから離れており、基板２３ａのみ昇降移動させることができる。昇降子３１および基板２３ａを最下位置まで下降させて、ホルダー２６を図の下方に移動させれば、基板２４ａを選択して、昇降子３１のピン３１ａを基板２４ａの連結孔２４ｃに挿入して、基板２４ａと昇降子３１とを連結することができる。昇降子３１によって基板２４ａを上昇させれば、ピン３１ａの先端をレバー２９ａでロックし、昇降子３１と基板２４ａとの連結をロックすることができる。
【００２９】
図６は、編出し板２３，２４の構成を示す。（ａ）に示す編出し板２３は編幅の全体に編出し針２を有し、（ｂ）に示す編出し板２４は編幅の両側にのみ編出し針２を有し、中間の区間には編出し針２を有していない。編出し板２３，２４は、両側の基板２３ａ，２４ａ間で作動板部２３ｂ，２４ｂが支持される。各編出し針２は、特許文献２に開示されているように、針本体とスライダーとを有し、スライダーを針本体に対して昇降移動させることで、編出し部の保持と解放とを切替えることができる。スライダーの駆動は、特許第３６１２１１３号公報のように、横編機の底部に設ける駆動装置からワイヤ４３を介して行う。ワイヤ４３は、作動板部２３ｂ，２４ｂの横スライド板４４を横方向に駆動し、方向変換カム４５を介して縦スライド板４６を縦方向に駆動する。編出し板２３では、縦スライド板４６で編出し針２のスライダーを直接駆動する。編出し板２４では、編出し針２を追加作動板部４７に並設する。追加作動板部４７は、縦方向に移動して編出し針２のスライダーを駆動する縦連結板４８を有する。縦連結板４８の下端は、縦スライド板４６の上端に接続される。なお、編出し針２は、実施例のタイプ以外であっても、編出し部の保持と解放とが切替え可能であればよい。
【００３０】
以上のように、本実施例１の編出し装置２１で、編出し板２３，２４の基板２３ａ，２４ａには、連結孔２３ｃ，２４ｃが形成される。連結機構２９は、昇降子３１に、前後方向に突出するように立設され、選択される編出し板２３，２４の連結孔２３ｃ，２４ｃに挿通可能なピン３１ａと、編出し板２３，２４の基板２３ａ，２４ａに設けられ、連結孔２３ｃ，２４ｃに挿通されるピン３１ａの先端に係合可能なレバー２９ａとを含む。連結は、編出し板２３，２４の連結孔２３ｃ，２４ｃにピン３１ａを挿通させて行う。連結のロックは、連結孔２３ｃ，２４ｃに挿通させたピン３１ａの先端側にレバー２９ａを係合させて行う。連結がロックされた状態は、昇降子３１を図２のように下降させ、ピン３１ａの先端側からレバー２９ａの係合を外してロックを解除することができる。さらに、ホルダー２６を前後方向に移動させて、ピン３１ａを基板２３ａ，２４ａの連結孔２３ｃ，２４ｃから離脱させて、連結を解除することができる。連結機構２９は、昇降子３１を二つの編出し板２３，２４間でいずれか一方の編出し板２３，２４に作用させて連結と連結解除とを切替える。昇降子３１を編幅方向に移動させる必要はなく、選択機構２８の簡略化を図ることができる。
【００３１】
図７は、図４の選択機構２８に相当する他の選択機構６８の例を簡略化して示す。図７で図４に対応する部分には同一の参照符を付して、重複する説明を省略する。選択機構６８では、図４の揺動子２８ｄに替えて、揺動歯車６８ｄを用いる。モーター２８ａは、歯車２８ｂを介して、揺動歯車６８ｄを、支点６８ｅを揺動中心として一定の角度範囲で揺動するように駆動する。揺動歯車６８ｄの支点６８ｅと歯先との間には、ホロワ６８ｇが設けられる。ホロワ６８ｇは、ホルダー２６の係合部２６ｃに係合し、揺動歯車６８ｄを揺動させれば、選択機構２８と同様に、係合部２６ｃを移動させることができる。
【実施例２】
【００３２】
図８（ａ）および図９は、図１の編出し装置１の実施例２となる編出し装置５１の右側部分について、編出し板５３と昇降子６１とが連結されている状態を示す。左側部分は、編幅の左右中央に関して対称となる。編出し装置５１は、編出し板５３，５４、ホルダー５６、昇降機構５７、選択機構５８および連結機構５９を含む。編出し板５３，５４で、基板５３ａ，５４ａを除く他の部分の構成は、図６の編出し板２３，２４と同等である。図８（ｂ）に示すように、基板５３ａには、図の右方に開口する連結溝５３ｃが形成されている。基板５４ａにも、同様な連結溝５４ｃが形成されている。連結溝５３ｃ，５４ｃの下方に、カム５６ａが設けられている。昇降機構５７は、昇降ガイド３０に沿って昇降する昇降子６１を含む。選択機構５８は、ラック５８ｂとピニオン５８ａとの組合せによる駆動で、ベース６０による支持を受けるカム５６ａを図の紙面に対して垂直な方向に移動させる。ベース６０は、横編機のフレームで支持される。カム５６ａには、基板５３ａ，５４ａの下端が挿入される溝が設けられ、基板５３ａ，５４ａの左端部がホルダー５６の縦溝に収容されている。カム５６ａが移動するように駆動されれば、ホルダー５６も、基板５３ａ，５４ａを介して駆動され、前後ガイド７２に案内されて移動する。選択機構５８でホルダー５６を駆動して、カム５６ａを追従して移動させることもできる。連結機構５９は、カム５６ａによる駆動で、連結溝５３ｃ，５４ｃに対して作用するロック部材５９ａ，５９ｂを含む。
【００３３】
ロック部材５９ａ，５９ｂは、前後に配置される。前方のロック部材５９ａは、上下に間隔をあけて一対となる状態で使用され、昇降子６１の前方側に設ける支点５９ｇで支持されて揺動する先端部５９ｅが後方に延びる。後方のロック部材５９ｂは、上下に間隔をあけて一対となる状態で使用され、昇降子６１の後方側に設ける支点５９ｈで支持されて揺動する先端部５９ｆが前方に延びる。前方側および後方側の先端部５９ｅ，５９ｆ同士は、上下に間隔をあけて、前後の中間でそれぞれ重複する状態となる。上下の先端部５９ｅ，５９ｆが選択された編出し板５３，５４の連結溝５３ｃ，５４ｃに前方および後方からそれぞれ挿入される。重複する状態の先端部５９ｅには長孔５９ｉ、先端部５９ｆにはピン５９ｊがそれぞれ設けられて、長孔５９ｉにピン５９ｊが挿通される状態で係合する。選択機構５８によって移動するカム５６ａによるピン５９ｊの駆動でロック部材５９ａ，５９ｂが揺動し、上方の先端部５９ｅ，５９ｆの重複部分と下方の先端部５９ｅ，５９ｆの重複部分の上下間が開閉する。先端部５９ｅ，５９ｆの重複部分の上下間が開くことで、連結溝５３ｃ，５４ｃの上下間が内側から押圧され、連結およびロックの状態となる。先端部５９ｅ，５９ｆの重複部分の上下間が閉じることによる押圧の停止で、連結およびロックの状態が解除される。ロックの状態は、ロック部材５９ａ，５９ｂの上下の端部間に掛けられているばね５９ｃ，５９ｄによる付勢で維持される。
【００３４】
図１０は、図８の編出し装置５１の動作を左側方から見て示す。（ａ）は編出し板を選択して昇降子６１に連結およびロックしている状態、（ｂ）は編出し板５４の選択を停止し、連結およびロックを解除した状態、（ｃ）は編出し板５３の選択に近付けている状態、（ｄ）は編出し板５３を選択して昇降子６１と連結およびロックしている状態を、それぞれ示す。なお、選択機構５８およびカム５６ａは、（ａ）にのみ表示し、（ｂ），（ｃ），（ｄ）では、カム５６ａの作用部５６ｂ，５６ｃのみ太い実線で示す。
【００３５】
（ａ）に示す状態では、カム５６ａの作用部５６ｂ，５６ｃがロック部材５９ｂに設けるピン５９ｊに作用しないので、ロック部材５９ａ，５９ｂはばね５９ｃ，５９ｄによる付勢で先端部５９ｅ，５９ｆの重複部分の上下間が開き、連結溝５３ｃを内側から図の上下方向に押圧する。この先端部５９ｅ，５９ｆの重複部分は、編出し板５４の連結溝５４ｃからは外れているので、昇降子６１を上昇させれば、編出し板５３のみ連結およびロックの状態で上昇させることができる。同様に、（ｄ）に示す状態では、編出し板５４のみ連結およびロックの状態で上昇させることができる。なお、上方の作用部５４ｃは前後の幅が狭くしてあるので、（ａ）および（ｄ）に示す状態ではピン５９ｊの上昇経路から外れ、昇降子６１の上昇でピン５９ｊも上昇させることができる。
【００３６】
本実施例２では、二つの編出し板５３，５４を切替えているけれども、同様の連結溝５３ｃ，５４ｃを基板に有する編出し板であれば、カム５６ａを適合させることで、三つ以上の編出し板を切替えて昇降子６１に連結およびロックさせることもできる。また、各編出し板３，４，５；２３，２４；５３，５４は、編幅の両側で支持する基板３ａ，４ａ，５ａ；２３ａ，２４ａ；５３ａ，５４ａで編出し針２が並設される作動板部３ｂ，４ｂ，５ｂ；２３ｂ，２４；５３ｂ，５４ｂを支持する構成を有している。しかしながら、基板３ａ，４ａ，５ａ；２３ａ，２４ａ；５３ａ，５４ａと作動板部３ｂ，４ｂ，５ｂ；２３ｂ，２４；５３ｂ，５４ｂとは一体化させることもできる。一体化させる場合、一枚の矩形板の形状にすることもできる。
【００３７】
実施例１および実施例２の連結機構２９，５９は、昇降子３１，６１を編幅方向に移動させる必要はないので、連結機構を簡略化することができる。ただし、図１の編出し装置１でも、昇降子３１を編幅方向に編出し板の基板から離れる方向に移動させれば、その間に編出し板を収容するホルダーを選択機構で前後方向に移動させることができる。編出し板が三つ以上でも、編出し板を選択したら、昇降子を編出し板側に戻し、選択した編出し板を昇降させることができる。
【符号の説明】
【００３８】
１，２１，５１  編出し装置
２  編出し針
３，４，５，２３，２４，５３，５４  編出し板
６，２６，５６  ホルダー
７，２７，５７  昇降機構
８，２８，５８  選択機構
９，２９，５９  連結機構
１０，３０  昇降ガイド
１１，３１，６１  昇降子
２３ｃ，２４ｃ  連結孔
２９ａ  レバー
３１ａ，５９ｊ  ピン
３９ｃ，５９ｃ，５９ｄ  ばね
５３ｃ，５４ｃ  連結溝
５６ａ  カム
５９ａ，５９ｂ  ロック部材
５９ｅ，５９ｆ  先端部
５９ｇ，５９ｈ  支点
５９ｉ  長孔
【図１】
2017089061.tif 000003
【図２】
2017089061.tif 000004
【図３】
2017089061.tif 000005
【図４】
2017089061.tif 000006
【図５】
2017089061.tif 000007
【図６】
2017089061.tif 000008
【図７】
2017089061.tif 000009
【図８】
2017089061.tif 000010
【図９】
2017089061.tif 000011
【図１０】
2017089061.tif 000012